(57)【要約】【課題】操作性良く媒体ガイド幅を変更可能な記録媒体ガイド機構を提案すること。【解決手段】記録媒体ガイド機構３０は、記録媒体を媒体ガイド方向Ａにガイドするガイド面３８を備えたガイド部材３１と、ガイド面３８の媒体ガイド幅を規定するスライド側ガイド幅規定面４４を備え、所定方向にスライド可能な状態でガイド部材３１に取り付けられているガイド幅規定部材３２と、ロックレバー３４がアンロック位置３４Ｂにあるとガイド幅規定部材３２をスライド可能なアンロック状態に保持し、ロックレバー３４がロック位置３４Ａに切り替わるとガイド幅規定部材３２をガイド部材３１に係合させたスライド不可のロック状態に切り替えるロック・アンロック機構３３とを有し、ロックレバー３４がガイド幅規定部材３２に取り付けられている。【選択図】図２
2013043702.tif 000002
【特許請求の範囲】
【請求項１】
プリンターに送り込む記録媒体あるいはプリンターから送り出される記録媒体をガイドする記録媒体ガイド機構であって、
前記記録媒体を予め定めた媒体ガイド方向にガイドするためのガイド面を備えたガイド部材と、
前記ガイド面における媒体ガイド幅を規定するためのガイド幅規定面を備え、所定方向にスライド可能な状態で前記ガイド部材に取り付けられているガイド幅規定部材と、
ロックレバーを備え、当該ロックレバーがアンロック位置にあると前記ガイド幅規定部材を前記ガイド部材に対してスライド可能なアンロック状態に保持し、前記ロックレバーがロック位置に切り替わると前記ガイド幅規定部材を前記ガイド部材に係合させたスライド不可のロック状態に切り替えるロック・アンロック機構とを有し、
前記ロックレバーは前記ガイド幅規定部材に取り付けられていることを特徴とする記録媒体ガイド機構。
【請求項２】
請求項１において、
前記ロックレバーは、前記ロック位置にある場合に比べて前記アンロック位置にある場合の方が、前記ガイド幅規定部材の表面からより多く突出した状態になるレバー部分を備えていることを特徴とする記録媒体ガイド機構。
【請求項３】
請求項２において、
前記ロックレバーは前記ガイド幅規定部材のスライド方向に直交する方向に移動して前記ロック位置および前記アンロック位置に切り替わることを特徴とする記録媒体ガイド機構。
【請求項４】
請求項２または３において、
前記レバー部分は、前記アンロック位置において前記ガイド幅規定部材から前記ガイド幅規定面に沿った方向に突出した状態になり、
前記ガイド幅規定部材から突出した状態における前記レバー部分の表面輪郭形状は、前記媒体ガイド方向に沿って見た場合に、前記ガイド幅規定部材の表面輪郭形状に滑らかに連続する凸状の輪郭形状となっていることを特徴とする記録媒体ガイド機構。
【請求項５】
請求項１ないし４のうちのいずれかの項において、
前記ガイド幅規定部材を前記ガイド部材に対してスライド可能に取り付けているスライドガイド機構は、ガイド溝と、当該ガイド溝にスライド可能な状態で挿入されているガイドレールとを備えており、
前記ガイド部材には、前記ガイド溝および前記ガイドレールのうちの一方の部位が、当該ガイド部材の前記媒体ガイド方向の中央の部位において、前記ガイド幅規定部材のスライド方向に延びる状態に形成されており、
前記ガイド幅規定部材には、前記ガイド溝および前記ガイドレールのうちの他方の部位が、当該ガイド幅規定部材における前記媒体ガイド方向の中央の部位において前記スライド方向に延びる状態に形成されており、
前記ロック・アンロック機構は、前記ガイド部材の側に形成した固定側係合部と、前記ガイド幅規定部材の側に形成したスライド側係合部と、前記スライド側係合部を前記固定側係合部に対して前記媒体ガイド方向に沿った方向から押圧して係合させることにより前記ロック状態を形成する付勢部材とを備えており、
前記固定側係合部は、前記ガイド溝が形成されているガイド溝形成部および前記ガイドレールのうちの前記ガイド部材に形成されている側の部位、あるいは、当該部位を前記スライド方向に延長させた部分に形成されており、
前記スライド側係合部は、前記ガイド溝形成部および前記ガイドレールのうちの前記ガイド幅規定部材に形成されている側の部位、あるいは、当該部位を前記スライド方向に延長させた部分に形成されていることを特徴とする記録媒体ガイド機構。
【請求項６】
請求項５において、
前記ロックレバーは、前記スライド方向に延びる旋回軸部を中心として前記ロック位置から前記アンロック位置までの間を旋回可能であると共に前記媒体ガイド方向に移動可能な状態で、前記ガイド部材と前記ガイド幅規定部材の間に挟持されており、
前記旋回軸部には、その中心軸線から半径方向に延びる旋回腕が形成されており、
前記媒体ガイド方向に沿って、前記固定側係合部、前記スライド側係合部および前記旋回軸部がこの順序に配置され、前記スライド側係合部には前記旋回腕の先端が当接しており、
前記付勢部材は、前記媒体ガイド方向において前記固定側係合部と前記旋回軸部の間に架け渡した状態で、前記ガイド部材と前記ガイド幅規定部材の間に挟持されている板バネであり、
前記ロックレバーが前記アンロック位置から前記ロック位置に旋回すると、これに伴って旋回する前記旋回腕によって前記スライド側係合部が前記固定側係合部の側に押し出され、前記旋回軸部と前記固定側係合部の間に架け渡されている前記付勢部材が引き伸ばされることにより発生する弾性復帰力によって、前記スライド側係合部が前記固定側係合部に摩擦係合した前記ロック状態が形成されることを特徴とする記録媒体ガイド機構。
【請求項７】
請求項１ないし６のうちのいずれかの項において、
前記ガイド部材は、前記ガイド面が形成されているガイド板部分と、前記ガイド幅規定面に対峙している固定側ガイド幅規定面が形成されている端板部分とを備えており、
前記ガイド幅規定部材は、前記ガイド面と同一平面上に位置するスライド側ガイド面が形成されているスライド側ガイド板部分と、前記ガイド幅規定面が形成されているスライド側端板部分とを備えており、
前記ガイド部材の前記ガイド板部分には、前記ガイド幅規定部材がスライド可能な状態で取り付けられており、
前記ロックレバーは、前記スライド側端板部分に取り付けられていることを特徴とする記録媒体ガイド機構。
【請求項８】
印刷ヘッドによる印刷位置に記録媒体を送り込むと共に印刷位置を経由した後の記録媒体を送り出す媒体供給・排出口と、
前記媒体供給・排出口に取り付けられている記録媒体ガイド機構とを有し、
前記記録媒体ガイド機構は請求項１ないし７のうちのいずれかの項に記載の記録媒体ガイド機構であることを特徴とするプリンター。
【発明の詳細な説明】
【技術分野】
【０００１】
本発明は、プリンターに送り込む記録媒体あるいはプリンターから送り出される記録媒体をガイドする記録媒体ガイド機構、および当該記録媒体ガイド機構を備えたプリンターに関する。
【背景技術】
【０００２】
プリンターの記録紙供給口あるいは記録紙排出口には、そこに送り込まれる記録紙あるいはそこから排出される記録紙をガイドすると共に、その幅方向の位置を規制する記録紙ガイド機構が取り付けられている。記録紙ガイド機構としては、異なる幅の記録紙をガイドできるように、その幅方向の一方の端あるいは両端を規定しているガイド幅規定部材を記録紙の幅に応じて幅方向にスライド可能なものが知られている。
【０００３】
特許文献１には、このような記録紙ガイド機構を備えたインクジェットプリンターが提案されている。当該特許文献１においては、排出口に取り付けた案内部材の両端に、幅方向に連動してスライド可能な一対の紙幅ガイドが取り付けられており、一対の紙幅ガイドは排出されるロール紙の幅に対応する間隔となる位置に固定可能になっている。案内部材の前端面における幅方向の中央には操作突起が配置されており、この操作突起を操作することにより、一対の紙幅ガイドをスライド可能な状態およびスライド後の位置にロックできるようになっている。
【０００４】
紙幅ガイドを所望のスライド位置に固定できるので、通帳などの冊子、厚紙などのように腰の強い記録媒体をガイドする場合に、記録媒体が当たってスライド式の紙幅ガイドの位置が移動してしまうことを防止できる。
【先行技術文献】
【特許文献】
【０００５】
【特許文献１】特開２０１０−１７３２０７号公報
【発明の概要】
【発明が解決しようとする課題】
【０００６】
ここで、従来における記録媒体の幅に応じて媒体ガイド幅を変更可能な記録媒体ガイド機構においては、次のような解決すべき課題がある。まず、紙幅ガイドをスライドさせた後に、紙幅ガイドとは別の位置に配置されている操作部材を操作して紙幅ガイドをスライド後の位置にロックする操作が必要である。このため、媒体ガイド幅を変更するためには異なる位置にある紙幅ガイドおよび操作部材を繰り返し操作する必要があるので、媒体ガイド幅の変更作業の作業性が悪いという課題がある。
【０００７】
また、紙幅ガイドがスライドしないように固定されているか否かを目視によって簡単に識別することが困難であるという課題がある。紙幅ガイドを固定しないまま記録媒体を搬送すると、記録媒体によって紙幅ガイドが押されて移動してしまい、供給あるいは排出される記録媒体が斜行状態になり、紙詰まりが発生するおそれがある。逆に、固定されている状態の紙幅ガイドをスライドさせようとすると無理な力が紙幅ガイド、それを固定している部位に加わるので、これらの部位が破損するなどの危険性がある。
【０００８】
本発明の課題は、このような点に鑑みて、操作性良く媒体ガイド幅を変更可能な記録媒体ガイド機構およびプリンターを提案することにある。また、本発明の課題は、操作性良く媒体ガイド幅を変更可能であると共にガイド幅規定部材がロックされているか否かを目視により簡単に判別可能な記録媒体ガイド機構およびプリンターを提案することにある。
【課題を解決するための手段】
【０００９】
上記の課題を解決するために、本発明は、プリンターに送り込む記録媒体あるいはプリンターから送り出される記録媒体をガイドする記録媒体ガイド機構において、
前記記録媒体を予め定めた媒体ガイド方向にガイドするためのガイド面を備えたガイド部材と、
前記ガイド面における媒体ガイド幅を規定するためのガイド幅規定面を備え、所定方向にスライド可能な状態で前記ガイド部材に取り付けられているガイド幅規定部材と、
ロックレバーを備え、当該ロックレバーがアンロック位置にあると前記ガイド幅規定部材を前記ガイド部材に対してスライド可能なアンロック状態に保持し、前記ロックレバーがロック位置に切り替わると前記ガイド幅規定部材を前記ガイド部材に係合させたスライド不可のロック状態に切り替えるロック・アンロック機構とを有し、
前記ロックレバーは前記ガイド幅規定部材に取り付けられていることを特徴としている。
【００１０】
スライド可能なガイド幅規定部材をロック・アンロック状態に切り替えるために操作されるロックレバーがガイド幅規定部材に取り付けられている。したがって、操作者は、媒体ガイド幅を変更する場合に、ガイド幅規定部材に取り付けられているロックレバーをロック位置からアンロック位置に切り替える操作、アンロック状態のガイド幅規定部材を記録媒体の幅に対応した位置までスライドさせる操作、スライド後のガイド幅規定部材をロック状態に切り替えるためにロックレバーをアンロック位置からロック位置に切り替える操作を、同一位置において簡単に行うことができる。
【００１１】
本発明の記録媒体ガイド機構において、前記ロックレバーは、前記ロック位置にある場合に比べて前記アンロック位置にある場合の方が、前記ガイド幅規定部材の表面からより多く突出した状態になるレバー部分を備えていることを特徴としている。
【００１２】
ロックレバーがロック・アンロック対象のガイド幅規定部材に取り付けられており、しかも、ロックレバーをアンロック位置に操作すると当該ロックレバーがガイド幅規定部材から大きく突出した状態になるので、操作者は目視によってガイド幅規定部材がスライド可能な状態にあるのか、スライドしないようにロックされた状態にあるのかを簡単に知ることができる。この結果、ガイド幅規定部材をロックすることを忘れたまま記録媒体が搬送されてしまうことや、ロック状態のガイド幅規定部材をスライドさせようとして無理に操作してしまうことを確実に防止できる。
【００１３】
本発明の記録媒体ガイド機構において、前記ロックレバーは、前記ガイド幅規定部材のスライド方向に直交する方向に移動して前記ロック位置および前記アンロック位置に切り替わることを特徴としている。
【００１４】
ロックレバーの操作方向がガイド幅規定部材のスライド方向に直交する方向となっているので、ロック位置からアンロック位置に切り替えた後のロックレバーのレバー部分を、そのままスライド方向に押せば、ロックレバーをアンロック位置に保持したままガイド幅規定部材をスライドさせることができる。また、ガイド幅規定部材をスライドさせた後にそのままレバー部分を押せば、ガイド幅規定部材をスライド後の位置に保持したままロックレバーをロック位置に切り替えることができる。よって、媒体ガイド幅の変更操作をロックレバーのレバー部分を操作するだけで行うことができ、操作性に優れている。
【００１５】
本発明の記録媒体ガイド機構において、前記レバー部分は、前記アンロック位置において前記ガイド幅規定部材から前記ガイド幅規定面に沿った方向に突出した状態になり、前記ガイド幅規定部材から突出した状態における前記レバー部分の表面輪郭形状は、前記媒体ガイド方向に沿って見た場合に、前記ガイド幅規定部材の表面輪郭形状に滑らかに連続する凸状の輪郭形状となっていることを特徴としている。
【００１６】
この構成によれば、ロックレバーがロックされずに、そのレバー部分が突出したままの状態で記録媒体が搬送された場合においても、レバー部分が記録媒体の搬送の障害となることを防止できる。すなわち、ガイド面に沿ってガイドされる記録媒体の幅方向の縁端等の部位がガイド幅規定部材に乗り上げた状態で移動してしまうことがある。この場合、ガイド幅規定部材から突出しているレバー部分に記録媒体の端等が当たり、記録媒体の円滑な搬送動作が遮られるおそれがある。本発明では、このような場合であっても搬送される記録媒体がガイド幅規定部材からレバー部分に乗り上げ、当該レバー部分に乗り上げた状態で円滑に搬送される。よって、ロックレバーがロックされずに、そのレバー部分が突出したままの状態であっても記録媒体の円滑な搬送を確保できる。
【００１７】
このように、記録媒体の円滑な搬送あるいはガイドが阻害されることの無いように、本発明では、ガイド幅規定部材から突出した状態におけるレバー部分の表面輪郭形状がガイド幅規定部材の表面輪郭形状に「滑らかに連続する」凸状の輪郭形状となっている。したがって、「滑らかに連続する」とは、厳密な意味での「滑らかに連続する」場合は勿論のこと、記録媒体の搬送あるいはガイドが阻害されない限り、双方の部材の表面輪郭形状の繋ぎ目に多少の隙間あるいはズレがあっても、本明細書においては「滑らかに連続する」場合に含まれる。
【００１８】
次に、本発明の記録媒体ガイド機構において、
前記ガイド幅規定部材を前記ガイド部材に対してスライド可能に取り付けているスライドガイド機構は、ガイド溝と、当該ガイド溝にスライド可能な状態で挿入されているガイドレールとを備えており、
前記ガイド部材には、前記ガイド溝および前記ガイドレールのうちの一方の部位が、当該ガイド部材の前記媒体ガイド方向の中央の部位において、前記ガイド幅規定部材のスライド方向に延びる状態に形成されており、
前記ガイド幅規定部材には、前記ガイド溝および前記ガイドレールのうちの他方の部位が、当該ガイド幅規定部材における前記媒体ガイド方向の中央の部位において前記スライド方向に延びる状態に形成されており、
前記ロック・アンロック機構は、前記ガイド部材の側に形成した固定側係合部と、前記ガイド幅規定部材の側に形成したスライド側係合部と、前記スライド側係合部を前記固定側係合部に対して前記媒体ガイド方向に沿った方向から押圧して係合させることにより前記ロック状態を形成する付勢部材とを備えており、
前記固定側係合部は、前記ガイド溝が形成されているガイド溝形成部および前記ガイドレールのうちの前記ガイド部材に形成されている側の部位、あるいは、当該部位を前記スライド方向に延長させた部分に形成されており、
前記スライド側係合部は、前記ガイド溝形成部および前記ガイドレールのうちの前記ガイド幅規定部材に形成されている側の部位、あるいは、当該部位を前記スライド方向に延長させた部分に形成されていることを特徴としている。
【００１９】
この構成によれば、スライド式のガイド幅規定部材は、ガイドレールとガイド溝との係合によって円滑にスライド可能である。また、これらの係合位置が媒体ガイド方向の中央に位置しているので、ガイド幅規定部材の媒体ガイド方向のがたつきを効果的に抑制できる。さらに、ガイド幅規定部材のスライド位置（ガイドレールとガイド溝の係合位置）あるいはその延長上の位置において、ロック・アンロック機構によってガイド幅規定部材をロックしている。よって、ガイド幅規定部材を、媒体ガイド方向にがたつくことなく、確実にガイド部材の側にロックすることができる。
【００２０】
次に、本発明の記録媒体ガイド機構において、
前記ロックレバーは、前記スライド方向に延びる旋回軸部を中心として前記ロック位置から前記アンロック位置までの間を旋回可能であると共に前記媒体ガイド方向に予め定めた範囲を移動可能な状態で、前記ガイド部材と前記ガイド幅規定部材の間に挟持されており、
前記旋回軸部には、その中心軸線から半径方向に延びる旋回腕が形成されており、
前記媒体ガイド方向に沿って、前記固定側係合部、前記スライド側係合部および前記旋回軸部がこの順序に配置され、前記スライド側係合部には前記旋回腕の先端が当接しており、
前記付勢部材は、前記媒体ガイド方向において前記固定側係合部と前記旋回軸部の間に架け渡した状態で、前記ガイド部材と前記ガイド幅規定部材の間に挟持されている板バネであり、
前記ロックレバーが前記アンロック位置から前記ロック位置に旋回すると、これに伴って旋回する前記旋回腕によって前記スライド側係合部が前記固定側係合部の側に押し出され、前記旋回軸部と前記固定側係合部の間に架け渡されている前記付勢部材が引き伸ばされることにより発生する弾性復帰力によって、前記スライド側係合部が前記固定側係合部に摩擦係合した前記ロック状態が形成されることを特徴としている。
【００２１】
ロック・アンロック機構のロックレバーおよび付勢部材が、ガイド部材とガイド幅規定部材の間に挟まれた状態で保持されている。したがって、ロック・アンロック機構の固定側係合部材をガイド部材に一体形成し、スライド側係合部材をガイド幅規定部材の側に一体形成しておけば、ガイド部材とガイド幅規定部材の間の所定位置にロックレバーおよび付勢部材を挟む状態で、これらの部材を組み付けるだけで、ロック・アンロック機構が構成される。部品取り付け用のビスなどを用いることなく、簡単な作業によってロック・アンロック機構を構成できる。
【００２２】
次に、スライド式のガイド幅規定部材は、ガイド部材のガイド面におけるスライド方向の両側に配置することが可能であるが、一方の側にのみ配置することも可能である。また、スライド式のガイド幅規定部材に、ガイド幅規定面と共に、ガイド面と同一平面上に位置するようにスライド側ガイド面を形成しておくことも可能である。このようにすれば、媒体ガイド幅を広くした場合においても、常に、ガイド面とスライド側ガイド面によって記録媒体の幅方向の両側部分がガイドされるので、記録媒体を確実にガイドすることができる。
【００２３】
一方、本発明のプリンターは、印刷ヘッドによる印刷位置に記録媒体を送り込むと共に印刷位置を経由した後の記録媒体を送り出す媒体供給・排出口と、前記媒体供給・排出口に取り付けられている記録媒体ガイド機構とを有し、前記記録媒体ガイド機構が上記構成の記録媒体ガイド機構であることを特徴としている。
【図面の簡単な説明】
【００２４】
【図１】本発明を適用したプリンターの外観斜視図および断面図である。
【図２】記録媒体ガイド機構のガイド幅調整動作を示す斜視図である。
【図３】記録媒体ガイド機構のロック・アンロック状態を示す部分斜視図である。
【図４】記録媒体ガイド機構の断面図である。
【図５】記録媒体ガイド機構のガイド部材およびガイド幅規定部材を示す斜視図である。
【図６】記録媒体ガイド機構のロック状態での側面図および断面図である。
【図７】記録媒体ガイド機構のアンロック状態での側面図および断面図である。
【図８】ロック・アンロック機構のロックレバーおよび板バネを示す斜視図である。
【図９】記録媒体ガイド機構の組み付け手順を示す説明図である。
【発明を実施するための形態】
【００２５】
以下に、図面を参照して、本発明を適用した記録媒体ガイド機構付のプリンターの実施の形態を説明する。
【００２６】
（プリンターの構成）
図１（ａ）は本発明の実施の形態に係るプリンターの外観斜視図であり、図１（ｂ）はプリンターの縦断面図である。図１（ａ）に示すように、プリンター１は装置幅方向に長いプリンター本体２を有している。プリンター本体２の外装ケース３の前面には所定幅の媒体出入口４が形成されており、媒体出入口４の下側には記録媒体ガイド機構３０が装置前方に突出した状態で取り付けられている。外装ケース３の後面には、図１（ｂ）に示すように、記録媒体の一つである連続紙を挿入するための媒体入口６が形成されている。
【００２７】
記録媒体ガイド機構３０は、記録媒体をガイドするためのガイド部材３１と、ガイドされる記録媒体の幅に応じて媒体ガイド幅を変更するためにガイド部材３１にスライド可能に取り付けられているガイド幅規定部材３２と、ガイド幅規定部材３２をガイド部材３１に対してスライド可能なアンロック状態およびスライドしないように固定したロック状態に切り替えるロック・アンロック機構３３とを備えている。ロック・アンロック機構３３は手動操作用のロックレバー３４を備えており、ロックレバー３４を操作することによってガイド幅規定部材３２をロック状態およびアンロック状態に切り替えることができる。
【００２８】
図１（ｂ）を主に参照してプリンター内部構造を説明する。まず、プリンター本体２は、外装ケース３の内側に板金製のプリンター本体フレーム１０を備えている。プリンター本体フレーム１０は装置幅方向の両端に上下方向に延びる一対の側壁部１１を備えている。これら一対の側壁部１１の内側に、媒体出入口４から媒体入口６に向かって装置前後方向に延びる媒体搬送路１２が設けられている。
【００２９】
媒体搬送路１２の途中には、印刷ヘッド１３による印刷位置を規定するプラテンローラー１４が、回転中心軸線を媒体搬送方向と直交する方向に向けて配置されている。プラテンローラー１４の装置前方には前側搬送ローラー１５が配置されている。前側搬送ローラー１５には上方から前側押圧ローラー１６が所定の押圧力で押し付けられている。プラテンローラー１４の装置後方には後側搬送ローラー１７が配置されている。後側搬送ローラー１７には上方から後側押圧ローラー１８が所定の押圧力で押し付けられている。プラテンローラー１４、前側搬送ローラー１５、前側押圧ローラー１６、後側搬送ローラー１７および後側押圧ローラー１８は、媒体搬送路１２と平行な状態でプリンター本体フレーム１０に架け渡されている。また、プラテンローラー１４、前側搬送ローラー１５および後側搬送ローラー１７は、媒体搬送路１２に沿って記録媒体を搬送するための媒体搬送機構１９を構成しており、プリンター本体フレーム１０に搭載されている不図示の搬送モーターによって駆動される。後側押圧ローラー１８の装置後方には、記録媒体の一つである連続紙を搬送するためのトラクターユニット２０が配置されている。
【００３０】
媒体搬送路１２の上方には、印刷ヘッド１３と、印刷ヘッド１３を搭載するキャリッジ２１と、キャリッジ２１の装置幅方向への移動をガイドするキャリッジガイド軸２２およびガイド部材２３が配置されている。また、媒体搬送路１２の上方には、キャリッジ２１をキャリッジガイド軸２２およびガイド部材２３に沿って往復移動させるためのタイミングベルトおよびキャリッジモーター（共に図示せず）が配置されている。
【００３１】
印刷ヘッド１３およびキャリッジ２１はプラテンローラー１４の真上に位置している。本例において、印刷ヘッド１３は、インクリボンに記録ワイヤーを打ち当ててインクリボンのインクを連続用紙に付着させて印刷するシリアル・インパクト・ドット・マトリクス・プリントヘッドであり、印刷ヘッド１３とプラテンローラー１４の間にはインクリボンカートリッジから引き出されたインクリボン（図示せず）が位置している。
【００３２】
キャリッジガイド軸２２はプラテンローラー１４よりも装置後方で媒体搬送路１２に対向しており、プラテンローラー１４と平行な状態で、プリンター本体フレーム１０の一対の側壁部１１に架け渡されている。ガイド部材２３は、一定厚さの板状の部材であり、キャリッジガイド軸２２の真上（キャリッジガイド軸２２の媒体搬送路１２とは反対側）において、プラテンローラー１４およびキャリッジガイド軸２２と平行な状態で、プリンター本体フレーム１０の一対の側壁部１１に架け渡されている。キャリッジ２１には、媒体搬送路１２に沿ってプラテンローラー１４上を搬送される印刷媒体の厚さに追随させて印刷ヘッド１３を上下動（プラテン１３に接近する方向および離れる方向に移動）させるためのプラテンギャップ調整機構２５が構成されている。
【００３３】
ここで、本例のプリンター１では、２つの印刷動作を選択的に行うことが可能となっている。第１の印刷動作は、装置前側の媒体出入口４から記録媒体を挿入して、媒体搬送路１２に沿って装置後方に向かって記録媒体を搬送し、印刷位置において印刷を施し、しかる後に記録媒体を装置前方に向かって搬送して媒体出入口４から排出するものである。第２の印刷動作は、装置後側の媒体入口６から記録媒体を挿入して、媒体搬送路１２に沿って装置前方に向かって記録媒体を搬送し、印刷位置において印刷を施し、しかる後に記録媒体を装置前方の媒体出入口４から排出するものである。
【００３４】
第１の印刷動作は、例えば、記録媒体の一つである通帳などのブックレットのページへの印刷の際に選択される。すなわち、ブックレットのページへ印刷を施す際には、ブックレットを見開き状態として印刷対象ページを上面に露出させる。そして、見開き状態としたブックレットを媒体ガイド５に沿って媒体出入口４から媒体搬送路１２に挿入する。ブックレットが媒体搬送路１２に挿入されると搬送モーターが駆動され、ブックレットは媒体搬送機構１９によって媒体搬送路１２に沿って装置後方に向かって搬送される。そして、ブックレットがプラテンローラー１４上を通過する際に、印刷ヘッド１３によって印刷対象ページに印刷が施される。印刷が終了すると、搬送モーターが逆方向に駆動され、これによりブックレットは媒体搬送機構１９によって装置前方に向かって搬送され、媒体出入口４より排出される。
【００３５】
第２の印刷動作は、例えば、記録媒体の一つである連続紙、たとえば、ファンフォールド紙への印刷の際に選択される。すなわち、ファンフォールド紙は、トラクターユニット２０を介して装置後側の媒体入口６から媒体搬送路１２に挿入される。ファンフォールド紙が媒体搬送路１２に挿入されると、これにより、搬送モーターが駆動され、ファンフォールド紙は媒体搬送機構１９によって媒体搬送路１２に沿って装置前方に向かって搬送される。そして、ファンフォールド紙がプラテンローラー１４上を通過する際に、印刷ヘッド１３によって印刷が施される。印刷が施されたファンフォールド紙はそのまま装置前方に搬送されて、媒体出入口４より排出される。
【００３６】
（記録媒体ガイド機構）
次に、図２（ａ）は記録媒体ガイド機構３０を示す斜視図であり、図２（ｂ）〜図２（ｄ）はそのガイド幅規定部材３２をスライドさせて媒体ガイド幅を変更する際の動作を示す説明図である。図３（ａ）はガイド幅規定部材３２のロック状態を示す部分斜視図であり、図３（ｂ）はガイド幅規定部材３２のアンロック状態を示す部分斜視図である。
【００３７】
これらの図を参照して説明すると、記録媒体ガイド機構３０のガイド部材３１は、全体として長方形輪郭をした板状のガイド板部分３５と、このガイド板部分３５における両端部から垂直に起立している左端板部分３６および右端板部分３７とを備えている。ガイド板部分３５の上面には、記録媒体Ｐを予め定めた媒体ガイド方向Ａ、すなわちプリンター前後方向にガイドするための平坦なガイド面３８が形成されている。また、右端板部分３７の内側の側面は、ガイド面３８から垂直に起立した固定側ガイド幅規定面３９となっており、ガイド面３８の上をガイドされる記録媒体Ｐの右端が当該固定側ガイド幅規定面３９によってガイドされる。ガイド面３８の反対側の左端縁３８ａと左端板部分３６の間には、ガイド面３８よりも僅かに低い底面を備えた凹部４０が形成されており、この凹部４０には、スライド式のガイド幅規定部材３２がガイド板部分３５の幅方向Ｂ（媒体ガイド方向Ａに直交する方向）にスライド可能な状態で配置されている。本例では、ガイド幅規定部材３２のスライド方向が媒体ガイド方向Ａに直交する幅方向Ｂとなっているが、スライド方向を幅方向Ｂとは異なる方向、例えば、媒体ガイド方向Ａおよび幅方向Ｂの双方に対して傾斜した方向として、媒体ガイド幅を変更できるようにしてもよい。
【００３８】
記録媒体ガイド機構３０のスライド式のガイド幅規定部材３２は、長方形輪郭をしたガイド板部分４１と、このガイド板部分４１の左端部から垂直に起立している端板部分４２とを備えている。ガイド板部分４１の上面はガイド部材３１のガイド面３８と同一平面上に位置する平坦なスライド側ガイド面４３となっている。端板部分４２の内側の側面は、スライド側ガイド面４３の左端から垂直に起立したスライド側ガイド幅規定面４４となっている。このスライド側ガイド幅規定面４４によって、ガイド面３８をガイドされる記録媒体Ｐの左端がガイドされる。
【００３９】
したがって、記録媒体Ｐの幅方向の位置が、スライド側ガイド幅規定面４４と固定側ガイド幅規定面３９によって規定される。また、これらによって規定される媒体ガイド幅は、スライド式のガイド幅規定部材３２をスライドさせることにより変更可能である。本例では、図２（ａ）に示す最小幅ｗ（ｍｉｎ）から図２（ｄ）に示す最大幅ｗ（ｍａｘ）の範囲で変更可能である。
【００４０】
次に、図３を主に参照して説明すると、記録媒体ガイド機構３０のロック・アンロック機構３３は、ガイド幅規定部材３２の裏面と、ガイド部材３１における凹部４０の間に配置されている。ロック・アンロック機構３３のロックレバー３４は、スライド式のガイド幅規定部材３２における端板部分４２に取り付けられている。ロックレバー３４は、幅方向Ｂに平行に延びる旋回中心線４５を中心として、図３（ａ）に示すロック位置３４Ａから図３（ｂ）に示すアンロック位置３４Ｂまでの間を上下方向に旋回可能である。すなわち、ロックレバー３４は、ガイド幅規定部材３２のスライド方向（幅方向Ｂ）に直交する上下方向に旋回する。
【００４１】
また、ロックレバー３４における上端側のレバー部分４６は、図３（ａ）に示すロック位置３４Ａにある場合に比べて、図３（ｂ）に示すアンロック位置３４Ｂにある場合の方が、ガイド幅規定部材３２の端板部分４２の上面部分４２ａから上方により多く突出した状態になる。さらに、レバー部分の表面輪郭形状は、ガイド幅規定部材３２から上方に突出した状態において、スライド側ガイド幅規定面４４に直交する方向（幅方向Ｂ）から見た場合に、ガイド幅規定部材３２の端板部分４２の上面輪郭形状に滑らかに連続する凸状の輪郭形状となっている。
【００４２】
記録媒体ガイド機構３０における媒体ガイド幅を変更するための操作は次のように行われる。例えば、図２（ａ）、図３（ａ）に示すように、ガイド幅規定部材３２が最小幅ｗ（ｍｉｎ）を規定する位置にロックされているものとする。この状態から媒体ガイド幅を最大幅ｗ（ｍａｘ）に変更する場合には、ロックレバー３４のレバー部分に指を掛けて、ロックレバー３４を上方に旋回させ、ロックレバー３４をロック位置３４Ａから図２（ｂ）、図３（ｂ）に示すアンロック位置３４Ｂに切り替える。これによりガイド幅規定部材３２がスライド可能な状態に切り替わる。次に、ロックレバー３４のレバー部分を持ったまま当該ロックレバー３４を幅方向Ｂの左方に向けて押し出す。この結果、図２（ｃ）に示すように、ガイド幅規定部材３２がガイド部材３１の左端板部分３６に当る位置までスライドする。この後は、ロックレバー３４のレバー部分を下方に押し込むと、ロックレバー３４がアンロック位置３４Ｂからロック位置３４Ａに切り替わり、図２（ｄ）に示すように、ガイド幅規定部材３２が最大幅ｗ（ｍａｘ）の位置にロックされた状態になる。
【００４３】
このように、本例では、スライド可能なガイド幅規定部材３２をロック・アンロック状態に切り替えるために操作されるロックレバー３４がスライド式のガイド幅規定部材３２に取り付けられている。したがって、操作者は、媒体ガイド幅を変更する場合に、ガイド幅規定部材３２に取り付けられているロックレバー３４をロック位置３４Ａからアンロック位置３４Ｂに切り替える操作、アンロック状態のガイド幅規定部材３２を記録媒体の幅に対応した位置までスライドさせる操作、スライド後のガイド幅規定部材３２をロック状態に切り替えるためにロックレバー３４をアンロック位置３４Ｂからロック位置３４Ａに切り替える操作を、同一位置において簡単に行うことができる。
【００４４】
また、ロックレバー３４をアンロック位置３４Ｂまで旋回させると当該ロックレバー３４のレバー部分がガイド幅規定部材３２の上面部分４２ａから大きく上方に突出した状態になる。操作者は目視によってガイド幅規定部材３２がスライド可能な状態にあるのか、スライドしないようにロックされた状態にあるのかを簡単に知ることができる。ガイド幅規定部材３２をロックし忘れたまま記録媒体Ｐが搬送されてしまうことや、ロック状態のガイド幅規定部材３２を無理にスライドさせようとしてしまうことを確実に防止できる。
【００４５】
さらに、ロックレバー３４の操作方向はガイド幅規定部材３２のスライド方向（幅方向Ｂ）に直交する方向となっており、媒体ガイド幅を変更する際には、アンロック状態のロックレバー３４のレバー部分がガイド幅規定部材３２の上方に突出する。したがって、このレバー部分のみを操作するだけで、媒体ガイド幅を変更するための操作を行うことができる。よって、媒体ガイド幅の変更操作を簡単かつ効率良く行うことができる。
【００４６】
（ガイド幅規定部材のスライドガイド機構）
図４は記録媒体ガイド機構３０の断面図であり、図３（ａ）のＴ３−Ｔ３線で切断した部分の断面を表している。図５（ａ）はガイド部材３１を示す斜視図であり、図５（ｂ１）、（ｂ２）はガイド幅規定部材３２を示す表面側斜視図および裏面側斜視図である。これら図４、図５を主に参照して、記録媒体ガイド機構３０におけるガイド幅規定部材３２をガイド部材３１に対してスライド可能に取り付けているスライドガイド機構を説明する。
【００４７】
スライドガイド機構５０は、ガイド溝５１を形成しているガイド溝形成部５２と、ガイド溝５１にスライド可能な状態で挿入されているガイドレール５３を備えている。本例ではガイド部材３１の凹部４０の底板部分５４に、当該ガイド部材３１の媒体ガイド方向Ａのほぼ中央の部位において幅方向Ｂに延びる状態にガイド溝形成部５２が形成されており、当該ガイド溝形成部５２に、上方に開口した細幅のガイド溝５１が形成されている。図５（ａ）から分かるように、凹部４０の底板部分５４には一段深い底板部分５４ａが形成されている。この底板部分５４ａには、ガイド溝形成部５２におけるプリンター本体側の側板部分５２ａがガイド溝５１の端に連続して左側の端まで延びている。
【００４８】
スライドガイド機構５０のガイドレール５３は、ガイド幅規定部材３２におけるガイド板部分４１の裏面から垂直に突出している一定高さのレールである。図５（ｂ２）から分かるように、当該ガイドレール５３は、ガイド幅規定部材３２における媒体ガイド方向Ａのほぼ中央の部位において幅方向Ｂに直線状に延びている。また、ガイドレール５３は、ガイド板部分４１の裏面においてその右端から左端近傍位置まで延びている。
【００４９】
ここで、図５（ｂ２）から分かるように、ガイド幅規定部材３２の裏面における媒体ガイド方向Ａの縁端部分には、裏面からほぼ垂直に突出している突出板５６、５７が形成されている。これらの突出板５６、５７はガイド幅規定部材３２の裏面において幅方向Ｂのほぼ全幅に亘って形成されている。また、突出板５６、５７の先端部には、それらの長さ方向の両端部分に、媒体ガイド方向Ａに向けて反対方向に折れ曲がった一対の外れ防止フック５６ａ、５６ｂ、５７ａ、５７ｂがそれぞれ形成されている。ガイド部材３１における媒体ガイド方向Ａの両端部には、図４から分かるように、幅方向Ｂに直線状に延びる上方に開口したフック嵌め込み溝５８、５９が形成されている。
【００５０】
ガイド幅規定部材３２をガイド部材３１の凹部４０の底板部分５４に対して上側から位置決めして押し込むと、外れ防止フック５６ａ、５６ｂ、５７ａ、５７ｂがそれぞれフック嵌め込み溝５８、５９に嵌め込まれて、これらのフック嵌め込み溝５８、５９内に形成されているフック係合面５８ａ、５９ａに対して下側から係合した状態が形成される。また、ガイド幅規定部材３２のガイドレール５３がガイド部材３１の側のガイド溝５１にスライド可能に差し込まれた状態が形成される。この結果、ガイド幅規定部材３２は、ガイド部材３１から外れることなく、幅方向Ｂにスライド可能な状態でガイド部材３１に取り付けられる。
【００５１】
（記録媒体ガイド機構のロック・アンロック機構）
次に、図６（ａ）はロック状態における記録媒体ガイド機構３０の左側面図であり、図６（ｂ）〜（ｄ）はその断面図であり、図６（ｅ）は図６（ａ）〜（ｄ）の表示位置を示す説明図である。図７（ａ）はアンロック状態における記録媒体ガイド機構３０の左側面図であり、図７（ｂ）〜（ｄ）はアンロック状態における記録媒体ガイド機構３０の断面図であり、それぞれ図６（ｂ）、（ｃ）、（ｄ）に対応する位置の断面である。また、図８（ａ１）、（ａ２）はロック・アンロック機構３３の構成部品であるロックレバー３４を示す斜視図であり、図８（ｂ）はロック・アンロック機構３３の構成部品である板バネ（付勢部材）を示す斜視図である。
【００５２】
図６〜８を主に参照してロック・アンロック機構３３の構造を説明する。まず、ロック・アンロック機構３３は、ガイド部材３１の側に形成した固定側係合部６１と、ガイド幅規定部材３２の側に形成したスライド側係合部６２と、スライド側係合部６２を固定側係合部６１に対して媒体ガイド方向Ａに沿った方向から押圧して係合させることによりロック状態を形成するために用いる板バネ６３（付勢部材）と、板バネ６３を伸長させてロック状態に切り替えるロックレバー３４とを備えている。
【００５３】
ガイド部材３１の側の固定側係合部６１は、本例では、ガイド部材３１の底板部分５４ａに形成されている側板部分５２ａが用いられている。この側板部分５２ａは先に図５（ａ）を参照して説明したように、ガイド溝形成部５２のプリンター本体側の側板部分の延長部分である。これに対して、ガイド幅規定部材３２の側のスライド側係合部６２は、図５（ｂ１）から良く分かるように、ガイドレール５３を、その左端から広幅で直線状に延長して形成した板状部分である。
【００５４】
ロックレバー３４は、図８（ａ１）、（ａ２）から分かるように、全体として台形状輪郭をしているレバー本体板７１を備えており、このレバー本体板７１の上端には、これに直交する状態に長方形輪郭の平板状のレバー操作部７２が一体形成されており、この上面７２ａは平坦面となっている。レバー本体板７１の一方の端面（プリンター本体側を向く端面）の表面輪郭形状は僅かに凸の凸曲面７１ａによって規定されており、反対側の端面の表面輪郭形状は上面７２ａから滑らかに連続して延びる傾斜面７１ｂによって規定されている。アンロック位置３４Ｂにおいてガイド幅規定部材３２から上方に突出するレバー部分４６は、レバー操作部７２とレバー本体板７１の一部である。レバー本体板７１の下端における傾斜面７１ｂの側の角には、レバー本体板７１に対して直交方向に延びる一定長さの旋回軸部７３が一体形成されている。旋回軸部７３には、その旋回中心線４５から半径方向に延びる一定長さの矩形板状の旋回腕７４が一体形成されている。また、傾斜面７１ｂには当該傾斜面７１ｂから直交する方向に突出している位置決め板７５が一体形成されている。
【００５５】
一方、板バネ６３は、図８（ｂ）から分かるように、一定幅の板バネ部材を全体としてＵ状に折り曲げた形状をしている。板バネ６３は、図８（ｂ）、図６（ｄ）、図７（ｄ）から分かるように、固定側係合部６１に掛止される側板部分８１と、この端から折れ曲がって延びている連結板部分８２と、連結板部分８２の端から折れ曲がって延びている側板部分８３とを備えている。側板部分８３はロックレバー３４の旋回軸部７３に掛止される部分であり、旋回軸部７３の外周面に掛止されるように鈍角に折れ曲がった形状となっている。
【００５６】
ロックレバー３４は、幅方向Ｂに延びる旋回軸部７３を中心としてロック位置３４Ａからアンロック位置３４Ｂまでの間を旋回可能であると共に媒体ガイド方向Ａに僅かな量だけ移動可能な状態で、ガイド部材３１とガイド幅規定部材３２の間に挟まれて保持されている。また、図６（ｄ）、図７（ｄ）から分かるように、媒体ガイド方向Ａに沿って、固定側係合部６１、スライド側係合部６２および旋回軸部７３がこの順序で位置し、スライド側係合部６２には旋回腕７４の先端７４ａが当接している。また、板バネ６３は、媒体ガイド方向Ａにおいて固定側係合部６１と旋回軸部７３の間に架け渡した状態で、ガイド部材３１とガイド幅規定部材３２の間に挟まれて保持されている。
【００５７】
ここで、図７（ｄ）に示すように、ロックレバー３４がアンロック位置３４Ｂに旋回している状態では、その旋回腕７４が媒体ガイド方向Ａに対して斜め上方に傾斜した旋回姿勢で先端７４ａがスライド側係合部６２に当っている。ロックレバー３４をアンロック位置３４Ｂからロック位置３４Ａに旋回すると、これに伴って旋回する旋回腕７４が斜め上方に傾斜した姿勢から媒体ガイド方向に向く水平な姿勢に切り替わる。
【００５８】
この結果、図６（ｄ）に示すように、旋回腕７４によってスライド側係合部６２が固定側係合部６１の側に押し出される。換言すると、固定側係合部６１は固定位置にあり、これに当接しているスライド側係合部６２も媒体ガイド方向Ａには移動しないので、ロックレバー３４が全体としてスライド側係合部６２から離れる方向に移動する。これにより、固定側係合部６１とロックレバー３４の旋回軸部７３の間に架け渡されている板バネ６３が媒体ガイド方向Ａに押し広げられる。これにより発生した板バネ６３の弾性復帰力によって、スライド側係合部６２が固定側係合部６１に強く押圧されて、これらの間が摩擦係合したロック状態が形成される。ロック状態が形成されると、ガイド幅規定部材３２がスライド不可の状態になりガイド部材３１に固定される。
【００５９】
ロックレバー３４を、図６に示すロック位置３４Ａから図７に示すアンロック位置３４Ｂに旋回すると、上記とは逆に、ロック・アンロック機構３３のロックが解除されて、ガイド幅規定部材３２がガイド部材３１に対して幅方向にスライド可能なアンロック状態に切り替わる。
【００６０】
本例の記録媒体ガイド機構３０では、上記のように、スライド式のガイド幅規定部材３２は、ガイドレール５３とガイド溝５１との係合によって幅方向に円滑にスライド可能である。また、これらの係合位置が双方の部材３１、３２における媒体ガイド方向Ａの中央に位置しているので、ガイド幅規定部材３２が媒体ガイド方向Ａにがたつくことなく、ガイド幅規定部材３２をスライドさせることができる。また、ガイドレール５３とガイド溝５１の延長上の位置に、ロック・アンロック機構３３によるロック位置（固定側係合部材６１とスライド側係合部材６２の摩擦係合位置）が配置されているので、ガイド幅規定部材３２を、媒体ガイド方向Ａにがたつくことなく、確実にロックすることができる。よって、腰の強い通帳、厚手の記録媒体を、媒体ガイド方向Ａに確実かつ円滑にガイドすることができる。
【００６１】
次に、本例の記録媒体ガイド機構３０では、アンロック状態においてガイド幅規定部材３２から突出したロックレバー３４のレバー部分４６の表面輪郭形状が、図７（ａ）、（ｂ）に示すように、スライド側ガイド幅規定面４４に直交する方向（幅方向Ｂ）から見た場合に、レバー操作部７２の平坦な上面７２ａと、この端から延びている凸曲面７１ａとによって規定されており、凸曲面７１ａは、ガイド幅規定部材３２の端板部分４２におけるプリンター本体側の上面部分４２ａの表面輪郭形状に滑らかに連続している。
【００６２】
本例のプリンター１においては、先に図１（ｂ）を参照して説明したように、第２の印刷動作においては、ファンフォールド紙が、トラクターユニット２０を介して装置後側の媒体入口６から媒体搬送路１２に挿入される。挿入されたファンフォールド紙は媒体搬送路１２に沿って装置前方に搬送されて印刷ヘッド１３によって印刷された後に、媒体出入口４から記録媒体ガイド機構３０のガイド面３８、４３上に排出される。このようにプリンター本体側から送り出される記録媒体の幅が、スライド式のガイド幅規定部材３２によって規定されるガイド幅に一致していない場合、特に、ガイド幅規定部材３２が送り出される記録媒体の端よりも内側に位置している場合には、媒体出入口４から送り出された記録媒体は、ガイド幅規定部材３２の端板部分４２の上面部分４２ａに乗り上げ、当該上面部分４２ａに沿って送り出される。
【００６３】
アンロック位置３４Ｂのままロックレバー３４が放置されている場合に、ガイド幅規定部材３２から上方に突出しているロックレバー３４に、送り出される記録媒体が衝突し、当該記録媒体の送り出し動作が円滑に行われないおそれがある。本例では、図７（ａ）、（ｂ）から分かるように、ガイド幅規定部材３２の上面部分４２ａに対して、突出状態のロックレバー３４の上面部分（７１ａ、７２ａ）が滑らかに連続した表面輪郭形状となっている。よって、ガイド幅規定部材３２に乗り上げた状態で記録媒体が送り出された場合に、たとえ、ロックレバー３４がアンロック位置３４Ｂのままであっても、図７（ｂ）において一点鎖線で示すように、記録媒体はガイド幅規定部材３２の上面部分４２ａからロックレバー３４の上面部分（７１ａ、７２ａ）に沿ってガイドされるので、記録媒体の送り出し動作に支障を来すことがない。
【００６４】
勿論、ロック状態になっている場合には、図６（ａ）、（ｂ）に示すように、ロックレバー３４の平坦な上面７２ａが、ガイド幅規定部材３２におけるプリンター本体側の上面部分４２ａと反対側の上面部分４２ｂとの間を滑らかに繋ぐ傾斜表面となるので、この場合においても、ガイド幅規定部材３２の上面に乗り上げた記録媒体の送り出し動作に支障を来すことがない。
【００６５】
（記録媒体ガイド機構の組み付け）
次に、図９は記録媒体ガイド機構３０の組み付け手順を示す説明図である。図９（ａ１）、（ａ２）に示すように、ガイド幅規定部材３２の裏面９０には、ガイドレール５３の端に連続してロック・アンロック機構３３のスライド側係合部６２が形成されている。このスライド側係合部６２は、ガイド幅規定部材３２の裏面９０から僅かに浮き上がった状態に形成されており、一方の端が裏面９０から垂直に突出している側板９１によって支持され、他方の端が裏面９０の縁端に形成した媒体ガイド方向Ａに延びるリブ９２によって支持されている。側板９１の側にもリブ９２に平行に延びるリブ９３が形成されている。板バネ６３はスライド側係合部６２と裏面９０の間の隙間を通してガイド幅規定部材３２の裏面９０に取り付けられる。
【００６６】
図９（ｂ１）、（ｂ２）には板バネ６３を取り付けた状態を示してある。板バネ６３を取り付けた後は、ガイド幅規定部材３２の裏面９０にロックレバー３４を取り付ける。ガイド幅規定部材３２の裏面９０の端には、板バネ６３の取り付け部分を挟み、媒体ガイド方向Ａの両側の部位に、ロックレバー３４のレバー本体板７１の一方の端部分と、当該レバー本体板７１の他方の端から突出している位置決め板７５を差し込み可能な差し込み溝９４、９５が形成されている。これらの差し込み溝９４、９５に差し込むことにより、ロックレバー３４がガイド幅規定部材３２に取り付けられる。
【００６７】
図９（ｃ１）、（ｃ２）、（ｃ３）はロックレバー３４を取り付けた状態を示している。この状態では、板バネ６３がスライド側係合部６２とロックレバー３４の旋回軸部７３によって、ガイド幅規定部材３２の裏面９０から外れないように保持される。また、ロックレバー３４はガイド幅規定部材３２に対して媒体ガイド方向Ａに所定量だけ移動（スライド）可能な状態に差し込まれている。
【００６８】
この後は、ガイド幅規定部材３２をガイド部材３１に位置決めして、ガイドレール５３をガイド溝５１に差し込むと共に、両側の外れ防止フック５６ａ、５６ｂ、５７ａ、５７ｂをガイド部材３１の側に嵌め込み、固定する。この結果、ロックレバー３４および板バネ６３がガイド部材３１とガイド幅規定部材３２の間に挟まれ、これらに組み付けられた状態になる。
【００６９】
このように、本例の記録媒体ガイド機構３０は、ガイド部材３１に対するガイド幅規定部材３２、ロック・アンロック機構３３の組み付けを、固定ネジ、ビスなどを用いることなく簡単に行うことができる。
【００７０】
（その他の実施の形態）
上記の例では、ガイド部材３１の側に固定側ガイド幅規定面３９を配置しているが、たとえば、先行技術として引用した特許文献１（特開２０１０−１７３２０７号公報）に開示されているように、両側にスライド式のガイド幅規定部材を配置し、これらを連動させて幅方向に移動させるようにしてもよい。
【００７１】
また、ロック・アンロック機構としては、上記の板バネを使用した機構以外の機構を用いることも可能である。例えば、ロックレバーによって回転する偏心カムなどを用いて、固定側係合部にスライド側係合部を押圧して係合させる機構を用いることができる。また、板バネ以外の付勢部材を用いることも可能である。例えば、付勢部材としての引張コイルバネを、固定側係合部と旋回軸部の間に引張り状態で架け渡しておくことも可能であり、これ以外の付勢部材であってもよい。
【符号の説明】
【００７２】
１・・プリンター、２・・プリンター本体、３・・外装ケース、４・・媒体出入口、５・・媒体ガイド、６・・媒体入口、１０・・プリンター本体フレーム、１１・・側壁部、１２・・媒体搬送路、１３・・印刷ヘッド、１４・・プラテンローラー、１５・・前側搬送ローラー、１６・・前側押圧ローラー、１７・・後側搬送ローラー、１８・・後側押圧ローラー、１９・・媒体搬送機構、２０・・トラクターユニット、２１・・キャリッジ、２２・・キャリッジガイド軸、２３・・ガイド部材、２５・・プラテンギャップ調整機構、３０・・記録媒体ガイド機構、３１・・ガイド部材、３２・・ガイド幅規定部材、３３・・ロック・アンロック機構、３４・・ロックレバー、３４Ａ・・ロック位置、３４Ｂ・・アンロック位置、３５・・ガイド板部分、３６・・左端板部分、３７・・右端板部分、３８・・ガイド面、３８ａ・・左端縁、３９・・固定側ガイド幅規定面、４０・・凹部、４１・・ガイド板部分、４２・・端板部分、４２ａ，４２ｂ・・上面部分、４３・・スライド側ガイド面、４４・・スライド側ガイド幅規定面、４５・・旋回中心線、４６・・レバー部分、５０・・スライドガイド機構、５１・・ガイド溝、５２・・ガイド溝形成部、５２ａ・・側板部分、５３・・ガイドレール、５４・・底板部分、５４ａ・・底板部分、５６，５７・・突出板、５６ａ，５６ｂ，５７ａ，５７ｂ・・外れ防止フック、５８，５９・・フック嵌め込み溝、５８ａ，５９ａ・・フック係合面、６１・・固定側係合部、６２・・スライド側係合部、６３・・板バネ、７１・・レバー本体板、７１ａ・・凸曲面、７１ｂ・・傾斜面、７２・・レバー操作部、７２ａ・・上面、７３・・旋回軸部、７４・・旋回腕、８１・・側板部分、８２・・連結板部分、８３・・側板部分、９０・・裏面、９１・・側板、９２，９３・・リブ、９４，９５・・差し込み溝、Ａ・・媒体ガイド方向、Ｂ・・幅方向（スライド方向）、Ｐ・・記録媒体
【図１】
2013043702.tif 000003
【図２】
2013043702.tif 000004
【図３】
2013043702.tif 000005
【図４】
2013043702.tif 000006
【図５】
2013043702.tif 000007
【図６】
2013043702.tif 000008
【図７】
2013043702.tif 000009
【図８】
2013043702.tif 000010
【図９】
2013043702.tif 000011